(57)【特許請求の範囲】
【請求項１】
支柱やパネル枠に片持ち状態で取付けたブラケットに棚板を載支してなる棚装置であって、前記棚板の前縁に沿った略全横幅に亘る長さを有する木見付の一端部背面に、該棚板の上下面を挟持する一対の保持片を備えた嵌合部材を、側方に他の棚板が存在しない場合には、該木見付の端部から側方へ突出しない状態で突設し、横方向に複数列設した各棚板にそれぞれ棚板の横幅と一致した長さの木見付を取付ける場合には、一部を木見付の端部から側方へ突出させた状態で突設するとともに、前記木見付の左右中間部若しくは他端部寄り背面に、下方へ向いたフック片を備えた係止部材を突設し、前記嵌合部材の上下保持片で棚板前縁部を挟持するとともに、前記係止部材のフック片を棚板の上面前縁に沿って形成した係合溝からなる係合凹部に落とし込み係止してなることを特徴とする棚装置。
【請求項２】
支柱やパネル枠に片持ち状態で取付けたブラケットに棚板を載支してなる棚装置であって、横方向に複数列設した各棚板に、それぞれ棚板の横幅と一致した長さの木見付を取付けるにあたり、前記棚板の前縁に沿った略全横幅に亘る長さを有する木見付の一端部背面に、該棚板の上下面を挟持する一対の保持片を備えた嵌合部材を、一部を木見付の端部から側方へ突出させて突設するとともに、前記木見付の左右中間部若しくは他端部寄り背面に、下方へ向いたフック片を備えた係止部材を突設し、前記嵌合部材の上下保持片で棚板前縁部であって隣接する両棚板の接合部を挟持するとともに、前記係止部材のフック片を棚板の上面前縁に形成した係合凹部に落とし込み係止し、更に隣接する他の木見付の端部背面で前記嵌合部材を当止してなることを特徴とする棚装置。
【請求項３】
棚板の上面前縁に設けた前記係合凹部が、該棚板の上面前縁に沿って形成した係合溝である請求項２記載の棚装置。
【請求項４】
棚板の前縁の上下に保持レールを設け、該上下の保持レール間に見出しプレートを着脱可能となした請求項１又は３記載の棚装置。
【発明の詳細な説明】
【０００１】
【発明の属する技術分野】
本発明は、商品や書籍等の物品を収容する棚装置に係わり、更に詳しくは棚板の前縁に木見付を有する棚装置に関するものである。
【０００２】
【従来の技術】
従来、支柱やパネル枠に片持ち状態で取付けたブラケットに棚板を載支し、これら複数の棚板を横方向及び上下方向に列設した棚装置は各種提供されている。前記棚板の前縁には、その上に載置する商品や書籍等の物品の見出しを設けたり、外観性を高めるために木見付を設けたりしている。
【０００３】
ここで、従来の棚装置では、見出しを設ける場合には、棚板の前縁の上下に保持レールを設け、該上下の保持レール間に見出しプレートを着脱可能に嵌挿した構造が一般的であり、また棚板の前縁に木見付を設ける場合には、棚板の前端に直接固定した構造が一般的である。
【０００４】
従って、従来の棚装置は、見出しを必要とする場合と、それ以外の木見付を設ける場合とで棚板の構造そのものが異なっていた。即ち、見出しを設けた棚板に木見付を装着することは不可能であり、逆に木見付を設けた棚板に見出しを設けることは木見付の表面にシールを貼る以外に汎用的な見出しを装着することは不可能であった。
【０００５】
また、棚板を横方向に同一高さで列設した場合、棚板同士の接合部分に高低差が生じることがあり、それにより外観性を損なったり、また物品の収容に制限が加わったりする不都合があった。
【０００６】
【発明が解決しようとする課題】
本発明が前述の状況に鑑み、解決しようとするところは、棚装置に収容する物品の種類が異なっても、共通の棚板で見出しを使用したり、最小限の部材追加によって木見付を装着することが可能であり、更に棚板を横方向に同一高さで列設した場合の高低差を無くすることが可能な棚装置を提供する点にある。
【０００７】
【課題を解決するための手段】
本発明は、前述の課題解決のために、支柱やパネル枠に片持ち状態で取付けたブラケットに棚板を載支してなる棚装置であって、前記棚板の前縁に沿った略全横幅に亘る長さを有する木見付の一端部背面に、該棚板の上下面を挟持する一対の保持片を備えた嵌合部材を、側方に他の棚板が存在しない場合には、該木見付の端部から側方へ突出しない状態で突設し、横方向に複数列設した各棚板にそれぞれ棚板の横幅と一致した長さの木見付を取付ける場合には、一部を木見付の端部から側方へ突出させた状態で突設するとともに、前記木見付の左右中間部若しくは他端部寄り背面に、下方へ向いたフック片を備えた係止部材を突設し、前記嵌合部材の上下保持片で棚板前縁部を挟持するとともに、前記係止部材のフック片を棚板の上面前縁に沿って形成した係合溝からなる係合凹部に落とし込み係止してなる棚装置を構成した。
【０００８】
また、本発明は、支柱やパネル枠に片持ち状態で取付けたブラケットに棚板を載支してなる棚装置であって、横方向に複数列設した各棚板に、それぞれ棚板の横幅と一致した長さの木見付を取付けるにあたり、前記棚板の前縁に沿った略全横幅に亘る長さを有する木見付の一端部背面に、該棚板の上下面を挟持する一対の保持片を備えた嵌合部材を、一部を木見付の端部から側方へ突出させて突設するとともに、前記木見付の左右中間部若しくは他端部寄り背面に、下方へ向いたフック片を備えた係止部材を突設し、前記嵌合部材の上下保持片で棚板前縁部であって隣接する両棚板の接合部を挟持するとともに、前記係止部材のフック片を棚板の上面前縁に形成した係合凹部に落とし込み係止し、更に隣接する他の木見付の端部背面で前記嵌合部材を当止してなる棚装置を構成した。
【０００９】
この場合、棚板の上面前縁に設けた前記係合凹部が、該棚板の上面前縁に沿って形成した係合溝であることが好ましい。また、何れの場合にも、棚板の前縁の上下に保持レールを設け、該上下の保持レール間に見出しプレートを着脱可能とすることが好ましい。
【００１０】
【発明の実施の形態】
次に本発明の実施の形態を添付図面に基づき更に詳細に説明する。図１は本発明に係る棚装置の全体図、図２〜図５は本発明の要部を示し、図中符号１は支柱、２はブラケット、３は棚板、４は木見付をそれぞれ示している。
【００１１】
本発明の棚装置は、支柱１やパネル枠に片持ち状態で取付けたブラケット２，２に棚板３を載支してなる棚装置であって、前記棚板３の前縁に沿って、該棚板３の略全横幅に亘る長さを有する木見付４を簡単に着脱自在に装着できるようにしたものである。具体的には、前記木見付４の一端部背面に、前記棚板３の上下面を挟持する一対の保持片６，７を備えた嵌合部材５を突設するとともに、前記木見付４の左右中間部若しくは他端部寄り背面に、下方へ向いたフック片９を備えた係止部材８を突設し、前記嵌合部材５の上下保持片６，７で棚板３前縁部を挟持するとともに、前記係止部材８のフック片９を棚板３の上面前縁に形成した係合凹部１０に落とし込み係止してなるものである（図５（ａ）、（ｂ）参照）。
【００１２】
即ち、前記木見付４は、前記嵌合部材５によって棚板３に対して上下変位を規制されるとともに、前記係止部材８によって下方及び前方変位を規制された状態で棚板３の前縁に保持されるのである。ここで、前記木見付４を棚板３の前縁に取付けるには、先ず前記嵌合部材５の上下保持片６，７を棚板３の前縁部に前方から嵌挿しながら、前記係止部材８のフック片９が棚板３の上面より若干上位になるように木見付４を傾斜させ、それから該木見付４を棚板３の前縁に密着させてフック片９を前記係合凹部１０に落とし込み係止するのである。この際、前記嵌合部材５は木見付４に対して捩れるが、該嵌合部材５と前記係止部材８との距離が十分に大きければ捩れ量は少ないので嵌合部材５の変形に対する影響は殆どない。
【００１３】
更に詳しくは、前記木見付４は、断面が長方形の木製長尺部材であり、その背面に前記嵌合部材５及び係止部材８をネジ止めできるようになっているが、素材については金属製でも合成樹脂製でも良く、要は棚板３の前縁に装着した際に、棚板３の外観性が向上するようなものであれば良いのである。前記嵌合部材５は、図３に示すように、保持片６を有する断面Ｌ字形の部材と、保持片７を有する断面Ｌ字形の部材を、各々の垂直片１１，１２を接合した構造となっている。前記垂直片１１，１２は、下方に延びており、その重合部には左右に取付孔１３，１３を形成し、木見付４の背面にネジ止めできるようにしている。ここで、前記嵌合部材５は、上下に一対の保持片６，７を有する断面コ字形の部材であっても良く、その場合には中間の連結板に前記取付孔１３，１３を形成する。ここで、前記上下の保持片６，７の間隔は、前記棚板３の上下厚さに略一致させている。
【００１４】
また、前記係止部材８は、図４に示すように、先端に下方へ向いたフック片９を有する側面視倒Ｌ字形の部分を取付板１４の上縁に折曲形成し、該取付板１４には左右に取付孔１５，１５を形成し、木見付４の背面にネジ止めできるようにしている。尚、図中符号１６はネジである。
【００１５】
前記嵌合部材５と係止部材８の取付位置は、側方に他の棚板が存在しない場合には、前記嵌合部材５を前記木見付４の一端部背面に該嵌合部材５が木見付４の端部から側方へ突出しない状態でネジ止めし、前記係止部材８を前記木見付４の左右中間部若しくは他端部寄り背面にネジ止めする。
【００１６】
また、前記棚板３の上面前縁に設けた前記係合凹部１０は、棚板３の上面の所定位置に開口したスリット孔でも良いが、本実施形態では前記棚板３の上面前縁に沿って形成した係合溝１７である。この係合溝１７に前記係止部材８のフック片９を落とし込み係止した状態を図５（ｂ）に示している。
【００１７】
また、本実施形態では、前記棚板３の前縁の上下に保持レール１８，１８を設け、該上下の保持レール１８，１８間に見出しプレート（図示せず）を着脱可能となすとともに、該棚板３の上面前縁に沿って前記係合凹部１０としての係合溝１７を形成している。この保持レール１８，１８を棚板３の前縁に設けた場合でも、前記木見付４は嵌合部材５と係止部材８とを利用して棚板３の前縁であって、前記保持レール１８に近接若しくは当接した状態で取付けることができる。尚、見出しプレートを用いる必要がある場合には、前記木見付４は棚板３の前縁に装着しない。
【００１８】
次に、図１に示すように、支柱１やパネル枠に片持ち状態で取付けたブラケット２に棚板３を載支し、これら複数の棚板３，…を横方向及び上下方向に列設した棚装置において、各々の棚板３の前縁に木見付４を装着する実施形態を、図６及び図７に基づいて説明する。本実施形態においては、横方向に複数列設した各棚板３，…に、それぞれ棚板３の横幅と一致した長さの木見付４，…を取付けるにあたり、前記嵌合部材５の一部を木見付４の端部から側方へ突出させて設け、該嵌合部材５の上下保持片６，６で隣接する両棚板３，３の接合部１９を挟持するとともに、前記係止部材８のフック片９を棚板３の上面前縁に形成した係合凹部１０（係合溝１７）に落とし込み係止し、更に隣接する他の木見付４の端部背面で前記嵌合部材５を当止し、該嵌合部材５の前方変位を規制する。２枚以上の棚板３，…を横方向に列設した場合には、順次木見付４を装着していく。最後に装着する木見付４の嵌合部材５は、該木見付４の端部から側方へ突出しないように取付けている。
【００１９】
このように、横方向に隣接した棚板３，３の接合部１９を含む端部近傍の上下面を嵌合部材５の上下保持片６，６で挟持することにより、棚板３に重量物を載置した際に棚板３が撓んで、隣接する棚板３，３間に高低差が生じることを完全に防止することができるのである。それにより、横方向に並ぶ複数の木見付４，…も正確に直線状に設定できるのである。
【００２０】
最後に、支柱１に片持ち状態で取付けたブラケット２に棚板３を載支して取付ける構造を図８に基づいて簡単に説明する。前記ブラケット２は常法通り基端に設けたフックを支柱１の前面に形成した係止孔に嵌合係止して片持ち状態とし、左右のブラケット２，２に棚板３の両側部を載支するのである。ここで、前記棚板３の両側部の側板２０の内面と、棚板３に横方向に固定した補強部材２１の端部との間に、ブラケット２を受け入れる隙間２２を設け、該隙間２２にブラケット２を挿入して棚板３を載置し、更にブラケット２の上縁適所に設けた切欠部２３を棚板３の上板下面に突設した突起２４を係合して、ブラケット２に対して棚板３が前後移動しないように支持している。しかし、本発明においては棚板３の支持構造に何ら限定は不要であり、また支柱１にブラケット２を介して棚板３を載支する以外にも、４本の支柱１，…を枠組み構成し、その間に棚板３を棚受等を利用して取付けた構造の棚装置、あるいはパネル枠に片持ち状態で取付けたブラケットを介して棚板３を載支した棚装置にも同様に本発明を適用することができる。
【００２１】
【発明の効果】
以上にしてなる請求項１に係る発明の棚装置は、支柱やパネル枠に片持ち状態で取付けたブラケットに棚板を載支してなる棚装置であって、前記棚板の前縁に沿った略全横幅に亘る長さを有する木見付の一端部背面に、該棚板の上下面を挟持する一対の保持片を備えた嵌合部材を、側方に他の棚板が存在しない場合には、該木見付の端部から側方へ突出しない状態で突設し、横方向に複数列設した各棚板にそれぞれ棚板の横幅と一致した長さの木見付を取付ける場合には、一部を木見付の端部から側方へ突出させた状態で突設するとともに、前記木見付の左右中間部若しくは他端部寄り背面に、下方へ向いたフック片を備えた係止部材を突設し、前記嵌合部材の上下保持片で棚板前縁部を挟持するとともに、前記係止部材のフック片を棚板の上面前縁に沿って形成した係合溝からなる係合凹部に落とし込み係止してなるので、木見付の棚板への取付作業も単に嵌合部材を棚板前縁部に前方から嵌合し、係止部材を棚板前縁部の係合凹部に落とし込み係止するだけであるので極めて簡単であり、しかも木見付は棚板から容易に外れることがないのである。更に、木見付に対する係止部材の取付位置に自由度があり、木見付の長さに応じて最適な位置に係止部材を取付けることができ、また嵌合部材との相対位置も自由に設定できる。また、棚装置に収容する物品の種類が異なっても、共通の棚板で見出しを使用したり、最小限の部材追加によって木見付を装着することができる。また、嵌合部材を木見付の端部から一部突出した状態で取付けることにより、横方向に複数列設した各棚板の接合部を嵌合部材の上下保持片で挟持することにより、棚板に重量物を載置した際に棚板が撓んで、隣接する棚板間に高低差が生じることを完全に防止することができ、また横方向に並ぶ複数の木見付も正確に直線状に設定でき、更に隣接する他の木見付の端部背面で嵌合部材を当止できるので、該嵌合部材が前方へ移動して外れることを防止でき、木見付の取付けが確実になる。
【００２２】
請求項２に係る発明の棚装置は、支柱やパネル枠に片持ち状態で取付けたブラケットに棚板を載支してなる棚装置であって、横方向に複数列設した各棚板に、それぞれ棚板の横幅と一致した長さの木見付を取付けるにあたり、前記棚板の前縁に沿った略全横幅に亘る長さを有する木見付の一端部背面に、該棚板の上下面を挟持する一対の保持片を備えた嵌合部材を、一部を木見付の端部から側方へ突出させて突設するとともに、前記木見付の左右中間部若しくは他端部寄り背面に、下方へ向いたフック片を備えた係止部材を突設し、前記嵌合部材の上下保持片で棚板前縁部であって隣接する両棚板の接合部を挟持するとともに、前記係止部材のフック片を棚板の上面前縁に形成した係合凹部に落とし込み係止し、更に隣接する他の木見付の端部背面で前記嵌合部材を当止してなるので、木見付の棚板への取付作業も単に嵌合部材を棚板前縁部に前方から嵌合し、係止部材を棚板前縁部の係合凹部に落とし込み係止するだけであるので極めて簡単であり、しかも木見付は棚板から容易に外れることがないのである。また、棚装置に収容する物品の種類が異なっても、共通の棚板で見出しを使用したり、最小限の部材追加によって木見付を装着することができる。更に、棚板に重量物を載置した際に棚板が撓んで、隣接する棚板間に高低差が生じることを完全に防止することができ、また横方向に並ぶ複数の木見付も正確に直線状に設定できるのである。
【００２３】
請求項３によれば、木見付に対する係止部材の取付位置に自由度があり、木見付の長さに応じて最適な位置に係止部材を取付けることができ、また嵌合部材との相対位置も自由に設定できる。
【００２４】
請求項４によれば、棚板の前縁に見出しプレートを装着する必要が生じた際には、木見付を棚板の前縁に取付けず、あるいは棚板から取外すことにより、棚装置の使用形態を容易に変更することができる。
【図面の簡単な説明】
【図１】  本発明に係る棚装置の全体斜視図である。
【図２】  棚板の前縁に木見付を取付ける状態を示す分解斜視図である。
【図３】  嵌合部材の斜視図である。
【図４】  係止部材の斜視図である。
【図５】  棚板の前縁に木見付を装着した状態を示し、（ａ）は嵌合部材を棚板の前縁部に嵌合した状態の断面図、（ｂ）は係止部材を棚板の前縁部に係止した状態の断面図である。
【図６】  横方向に複数列設した棚板に木見付を装着する状態を示す分解斜視図である。
【図７】  同じく隣接した棚板の接合部に嵌合部材を嵌合した状態の部分拡大斜視図である。
【図８】  棚板とブラケットとの関係を示す部分分解斜視図である。
【符号の説明】
１  支柱
２  ブラケット
３  棚板
４  木見付
５  嵌合部材
６、７  保持片
８  係止部材
９  フック片
１０  係合凹部
１１，１２  垂直片
１３，１３  取付孔
１４  取付板
１５  取付孔
１６  ネジ
１７  係合溝（係合凹部）
１８  保持レール
１９  接合部
２０  側板
２１  補強部材
２２  該隙間
２２  隙間
２３  切欠部
２４  突起
【図１】
0003697574.tif 000002
【図２】
0003697574.tif 000003
【図３】
0003697574.tif 000004
【図４】
0003697574.tif 000005
【図５】
0003697574.tif 000006
【図６】
0003697574.tif 000007
【図７】
0003697574.tif 000008
【図８】
0003697574.tif 000009